(57)【要約】【課題】蛇腹部に座屈や異音、騒音が発生することなく、洗濯槽の振動が外筐へ伝播するのを抑制することのできる振動抑制部材を備えた洗濯乾燥機を提供する。【解決手段】上面に蓋体４によって開閉される開口部２を有する外筐１と、上面に開口部７を有し、内部に上面に開口部１２を有する洗濯槽１０が回転自在に収容されて外筐１内に設置された水槽６とを備え、外筐１の開口部２の外周と水槽６の開口部７の外周との間に、環状の蛇腹部１６を有し、自重がかかったとき蛇腹部１６の直線部の各折曲げ部のピッチがほぼ等しくなるよう前記蛇腹部の板厚を上部は厚く下部になるにしたがって薄く形成した環状の振動抑制部材１５を設けた。【選択図】図１
2011067707.tif 000002
【特許請求の範囲】
【請求項１】
上面に蓋体によって開閉される開口部を有する外筐と、
上面に開口部を有し、内部に上面に開口部を有する洗濯槽が回転自在に収容されて前記外筐内に設置された水槽とを備え、
前記外筐の開口部と前記水槽の開口部との間に、環状の蛇腹部を有する振動抑制部材を設け、
前記蛇腹部の板厚を、上部は厚く下部になるにしたがって薄く形成したことを特徴とする洗濯乾燥機。
【請求項２】
上面に蓋体によって開閉される開口部を有する外筐と、
上面に開口部を有し、内部に上面に開口部を有する洗濯槽が回転自在に収容されて前記外筐内に設置された水槽とを備え、
前記外筐の開口部と前記水槽の開口部との間に、外周側の頂部と内周側の頂部の上下方向のピッチの、上部は大きく下部が小さいパターンを、順次繰返して形成した環状の蛇腹部を有する振動抑制部材を設けたことを特徴とする洗濯乾燥機。
【請求項３】
上面に蓋体によって開閉される開口部を有する外筐と、
上面に開口部を有し、内部に上面に開口部を有する洗濯槽が回転自在に収容されて前記外筐内に設置された水槽とを備え、
前記外筐の開口部と前記水槽の開口部との間に、長さの異なる直線部を上下方向に繰返し形成した環状の蛇腹部を有する振動抑制部材を設けたことを特徴とする洗濯乾燥機。
【請求項４】
前記振動制御部材の前記蛇腹部の最上部の直線部を前記蛇腹部の内周縁の内側まで延設したのち上方に折曲げて外筐連結部を形成し、前記蛇腹部の最下部の直線部をほぼ中央部から下方に折曲げて水槽連結部を形成したことを特徴とする請求項１〜３のいずれかに記載の洗濯乾燥機。
【発明の詳細な説明】
【技術分野】
【０００１】
本発明は、筐体内に縦型の洗濯槽を備えた洗濯乾燥機に係り、より詳しくは、運転時の振動を抑制し、異音や騒音の発生を防止することのできる振動抑制部材を備えた洗濯乾燥機に関するものである。
【背景技術】
【０００２】
従来の脱水洗濯機に、上部に外周溝を有する脱水槽カバーと、外周溝を有する上部外装部との間に、伸縮自在の環状ジャバラカバーを取付けて、洗濯中の洗濯水の飛びはねや脱水時の泡飛び等を防止し、また、脱水外槽上部の偏芯移動量を抑制するようにしたものがある（例えば、特許文献１参照）。
【先行技術文献】
【特許文献】
【０００３】
【特許文献１】特開昭６２−６８４９１号公報（第２頁、図１）
【発明の概要】
【発明が解決しようとする課題】
【０００４】
特許文献１の脱水洗濯機においては、起動時の低速回転時において、環状ジャバラカバーの座屈により異音が発生するという問題があった。
また、環状ジャバラカバーは、自重により蛇腹部の上部においてはピッチが大きくなるため座屈が発生し易く、また、下部はピッチが小さくなってほぼ重なった状態になるため、運転時に蛇腹部の面どうしが接触してバタバタという接触音が発生するという問題があった。
【０００５】
本発明は、上記の課題を解決するためになされたもので、蛇腹部に座屈が生じたり異音や騒音が発生することがなく、洗濯槽の振動が外筐へ伝播するのを抑制することのできる振動抑制部材を備えた洗濯乾燥機を提供することを目的としたものである。
【課題を解決するための手段】
【０００６】
本発明に係る洗濯乾燥機は、上面に蓋体によって開閉される開口部を有する外筐と、上面に開口部を有し、内部に上面に開口部を有する洗濯槽が回転自在に収容されて前記外筐内に設置された水槽とを備え、前記外筐の開口部の外周と水槽の開口部の外周との間に、外周に複数の直線部の両端部を順次反対方向に折曲げてなる蛇腹部を有し、自重がかかったときは前記蛇腹部の直線部の各折曲げ部のピッチがほぼ等しくなる環状の振動抑制部材を設けたものである。
【発明の効果】
【０００７】
本発明によれば、運転時の洗濯槽の振動が振動抑制部材に吸収されて減衰し、外筐への伝播が低減するので、外筐の振動を抑制することができる。また、振動抑制部材を構成する蛇腹部は、自重がかかった状態で各折曲げ部のピッチが全長に亘ってほぼ等しくなるように形成されているので、蛇腹部の上部に座屈を生じたり運転時に異音や騒音が発生することがない。
【図面の簡単な説明】
【０００８】
【図１】本発明の実施の形態１に係る洗濯乾燥機の要部の説明図である。
【図２】図１の振動抑制部材の蛇腹部の説明図である。
【図３】本発明の実施の形態２に係る洗濯乾燥機の振動抑制部材の蛇腹部の説明図である。
【図４】実施の形態２の蛇腹部の他の例の説明図である。
【図５】本発明の実施の形態３に係る洗濯乾燥機の振動抑制部材の蛇腹部の説明図である。
【図６】実施の形態３の蛇腹部の他の例の説明図である。
【図７】本発明の実施の形態４に係る洗濯乾燥機の振動抑制部材の蛇腹部の説明図である。
【図８】実施の形態４の蛇腹部の他の例の説明図である。
【図９】実施の形態４の蛇腹部のさらに他の例の説明図である。
【発明を実施するための形態】
【０００９】
［実施の形態１］
図１は本発明の実施の形態１に係る洗濯乾燥機の要部を示す説明図である。
外筐１の上部には開口部２が設けられており、開口部２の周縁には下部が開口されて後述の振動抑制部材１５の外筐取付部が取付けられる取付溝３が設けられている。４はヒンジ５により外筐１の上部に開閉可能に設けられた蓋体で、外筐１の開口部２を開閉する。
【００１０】
６は上面に開口部７を有し外筐１内に配設されて吊棒９により外筐１に支持された水槽で、開口部７の周縁には上部が開口されて振動抑制部材１５の水槽取付部が取付けられる取付溝８が設けられている。なお、水槽６の開口部７は、外筐１の開口部２により大きく（大径）形成されている。
この水槽６内には、上面に開口部１２を有し周壁に多数の小孔１１が設けられて、投入された衣類等の洗濯、すすぎ、脱水、乾燥を行う有底円筒状の洗濯槽１０が回転自在に収容されている。１３は洗濯槽１０の開口部１２に周縁に設けられたバランサである。
【００１１】
１５は例えばゴム材、合成樹脂材等からなり、外周が蛇腹状（以下、蛇腹部１６という）に形成されて、外筐１の開口部２の外周と水槽６の開口部７の外周との間に介装された環状の振動抑制部材で、蛇腹部１６に囲まれた開口部２１は、水槽６の開口部７とほぼ同じ大きさに形成されている。
【００１２】
図２は図１の振動抑制部材１５の説明図で、図には振動抑制部材１５に自重がかった状態を示してある。
この振動制御部材１５は、複数の直線部１７の両端部を円弧状の頂部１８（以下、折曲げ部ということがある）で反対方向に折曲げて（又は接合して）じぐざぐ状に形成した蛇腹部１６と、この蛇腹部１６の最上部の直線部を蛇腹部１６の内周縁より内側まで延設したのち上方に折曲げて、先端部に外筐１の取付溝３に取付けられるリング状の外筐取付部１９が設けられた外筐連結部１７ａと、最下部の直線部をほぼ中央部から下方に折曲げて、先端部に水槽６の取付溝８に取付けられるリング状の水槽取付部２０が設けられた水槽連結部１７ｂとからなっている。なお、振動制御部材１５の外筐連結部１７ａの板厚を、蛇腹部１６及び水槽連結部１７ｂの板厚より厚く形成し、あるいは外筐連結部１７ａにリブ（図示せず）を設けるなどして、その剛性を高めることが望ましく、これにより、外筐連結部１７ｂの変形を防止することができる（他の実施の形態においても同様である）。
【００１３】
このように構成した振動制御部材１５は、その外筐連結部１７ａに設けた外筐取付部１９が外筐１の取付溝３に挿入固定され、水槽連結部１７ｂに設けた水槽取付部２０が水槽６の取付溝８に挿入固定されて、外筐１と水槽６との間に装着される。なお、振動制御部材１５の蛇腹部１６の開口部２はこれにより小さく形成されているが、外筐連結部１７ａは蛇腹部１６の内周縁の内側まで延設されて長く形成されているので、その外筐取付部１９を外筐１に設けた取付溝３に容易かつ確実に挿入し固定することができる。
【００１４】
本実施の形態に係る洗濯乾燥機は、周知の洗濯乾燥機と同様に、洗濯槽１０に投入された衣類等は、洗濯工程、すすぎ工程、脱水工程、乾燥工程が順次行われ、洗濯される。
【００１５】
本実施の形態によれば、洗濯乾燥機の運転の際、洗濯槽１０の回転によって生ずる振動は振動抑制部材１５に吸収されて減衰し、水槽６を介して外筐１への伝播が低減されて、外筐１の振動が抑制される。
また、振動抑制部材１５を構成する蛇腹部１６は、自重がかかった状態で、換言すれば外筐１と水槽６との間に装着した状態で、頂部１８のピッチＰが、上下方向の全長に亘ってほぼ等しくなるように形成されているので、起動時の洗濯槽１０の低速回転時において、蛇腹部１６の上部に座屈を生じることがなく、このため異音を発することもない。さらに、運転時に蛇腹部１６の下部の直線部１７の面どうしが接触することがないので、接触音を発することもない。
【００１６】
［実施の形態２］
図３，図４は本発明の実施の形態２に係る洗濯乾燥機の振動抑制部材の蛇腹部の説明図である。なお、実施の形態１と同じ部分にはこれと同じ符号を付し、説明を省略する。
図３の振動抑制部材１５の蛇腹部１６は、外周側と内周側の頂部１８の間隔（ピッチＰ）を、上部から下部（自重方向）になるにしたがって順次大きく、Ｐ1＜Ｐ2＜Ｐ3に構成したものである。
【００１７】
このように構成したことにより、振動抑制部材１５に自重がかかると、上部の頂部１８のピッチＰは大きくなるが、下部の頂部１８のピッチＰはほとんど変わらないので、上下のピッチＰ1，Ｐ2，Ｐ3をほぼ等しくすることができる。この場合、蛇腹部１６の上下方向の頂部１８のすべてのピッチＰを、下部になるにしたがって順次大きくしてもよく、あるいは、複数（例えば、隣接する３つ）の頂部１８のピッチＰを等しくし、この複数の等しいピッチＰを下部になるにしたがって順次大きくしてもよい。
【００１８】
図４の振動抑制部材１５の蛇腹部１６は、直線部１７の板厚ｔを、上部から下部になるにしたがって薄く、ｔ1＞ｔ2＞ｔ3＞ｔ4に形成し、かつ、頂部１８のピッチＰ1，Ｐ2，Ｐ3をほぼ等しく形成したものである。
蛇腹部１６をこのように構成した振動抑制部材１５を吊下げた場合、上部では直線部１７の板厚ｔが厚いため自重による変化が小さく、下部は板厚ｔが薄く全体に占める重量が小さいため下方からの引張り力が小さいので、やはり自重による変形が小さい。このため、振動抑制部材１５に自重がかかった場合、蛇腹部１６の頂部１８のピッチＰを、上下方向に亘ってほぼ等しくすることができる。
【００１９】
この場合、蛇腹部１６の上下方向の直線部１７のすべての板厚ｔを、下部になるにしたがって順次薄く形成してもよく、あるいは、隣接する複数（例えば、２つあるいは３つ）の直線部１７の板厚ｔを等しくし、この複数の等しい板厚ｔを下部になるにしたがって順次薄くしてもよい。
【００２０】
本実施の形態は、振動抑制部材１５の蛇腹部１６の頂部１８のピッチＰを、下部になるにしたがって大きくＰ1＜Ｐ2＜Ｐ3に形成し、あるいは、蛇腹部１６の直線部１７の板厚ｔを、下部になるにしたがって薄くｔ1＞ｔ2＞ｔ3に形成したので、振動抑制部材１５に自重がかかった場合、蛇腹部１６の頂部１８のピッチＰを上下方向の全長に亘ってほぼ等しくすることができる。このため、実施の形態１の場合とほぼ同様の効果を得ることができる。
【００２１】
［実施の形態３］
図５，図６は本発明の実施の形態３に係る洗濯乾燥機の振動抑制部材の蛇腹部の説明図である。なお、実施の形態１と同じ部分にはこれと同じ符号を付し、説明を省略する。
図５の蛇腹部１６は、複数の直線部１７の両端部を反対方向に折返してなり、外周側と内周側の頂部１８のピッチＰを、上部が大きく下部が小さいＰ4＞Ｐ5＞Ｐ6に形成された蛇腹Ｂを、上下方向に順次繰返して設けたものである。
【００２２】
また、図６の蛇腹部１６は、長さＬの異なる複数の直線部１７ａ，１７ｂ，１７ｃ，１７ｄ（Ｌ1≠Ｌ2≠Ｌ3≠Ｌ4）によって形成された蛇腹Ｂを、上下方向に順次繰返して設けたものである。
本実施の形態によれば、洗濯槽１０の振動が水槽６を経て振動抑制部材１５により吸収されて外筐１に伝播され難いので、外筐１の振動を低減することができる。また、蛇腹部１６の直線部１７どうしが接触する頻度が減少するので、接触音を低減することができる。
【００２３】
［実施の形態４］
図７，図８及び図９は本発明の実施の形態４に係る洗濯乾燥機の振動抑制部材の蛇腹部の説明図である。なお、実施の形態１と同じ部分にはこれと同じ符号を付し、説明を省略する。
図７は頂部１８のピッチＰが上下方向ではほぼ等しい蛇腹部１６において、各直線部１７の上面及び下面又はいずれか一方の面（図には下面の場合が示してある）に、例えば発泡ウレタン等のごとく吸音性能を有する緩衝材２２を接着等により取付けたものである。
【００２４】
この緩衝材２２は、各直線部１７の全周に亘って取付けてもよく、あるいは複数の緩衝材２２を各直線部１７の周方向に所定の間隔で取付けてもよい（以下の場合も同様である）。この場合、緩衝材２２（特に、水槽６の開口部７に面する緩衝材２２）に、防水又は撥水加工を施してもよい。
【００２５】
図８の蛇腹部１６は、緩衝材２２を、水槽６の開口部７に面していない側（開口部７の反対側で、図の左側が開口部７に面している）の直線部１７の対向する面に取付けたものである。また、図９の蛇腹部１６は、水槽６の開口部７の反対側の対向する直線部１７のいずれか一方の面に緩衝材２２を取付けたもので、これにより、図８の場合に比べて緩衝材２２の使用量を半減することができる。
【００２６】
本実施の形態によれば、洗濯槽１０の振動が水槽６を経て振動抑制部材１５により吸収されて減衰し、外筐１への伝播が低減されるので、外筐１の振動を抑制することができる。
また、蛇腹部１６が自重により変形して下部の直線部１７どうしが接触しようとしても、両者の間に緩衝材２２が介在しているため、接触圧が緩和されると共に接触音が緩衝材２２に吸収されてこれを低減することができる。さらに、緩衝材２２が蛇腹部１６の補強の役割を果たすため、蛇腹部１６の座屈を防止することができ、これにより起動時の異音の発生を防止することができる。
【００２７】
また、緩衝材２２に防水又は撥水加工を施した場合は、水槽６内の洗濯水がかかっても変質することがなく、緩衝材２２の性能を維持することができる。
また、図８，図９に示すように、緩衝材２２を水槽６の開口部７の反対側に設けることにより、水槽６内の洗濯水がかかることがないので、緩衝材２２の性能を維持することができる。
【００２８】
上記の説明では、頂部１８のピッチＰが上下方向においてほぼ等しい蛇腹部１６の直線部１７に緩衝材２２を設けた場合を示したが、実施の形態２又は３の振動抑制部材１５の蛇腹部１６の直線部１７に緩衝材２２を設けてもよい。
【符号の説明】
【００２９】
１  外筐、２  開口部、３，８  取付溝、４  蓋体、６  水槽、７  開口部、１０  洗濯槽、１２  開口部、１５  振動抑制部材、１６  蛇腹部、１７  直線部、１７ａ  外筐連結部、１７ｂ  水槽連結部、１８  頂部（折曲げ部）、１９  外筐取付部、２０  水槽取付部、２２  緩衝材。
【図１】
2011067707.tif 000003
【図２】
2011067707.tif 000004
【図３】
2011067707.tif 000005
【図４】
2011067707.tif 000006
【図５】
2011067707.tif 000007
【図６】
2011067707.tif 000008
【図７】
2011067707.tif 000009
【図８】
2011067707.tif 000010
【図９】
2011067707.tif 000011